(57)【要約】【課題】  温度の低い第１の貯蔵室とそれよりも冷却温度が高い第２の貯蔵室の双方に冷却器と熱交換した冷気を供給して冷却する冷却貯蔵庫において、第１の貯蔵室の温度維持能力を改善する。【解決手段】  冷凍冷蔵庫１は冷凍室４と冷蔵室６とを備え、冷却装置Ｒの冷却器１２と熱交換した冷気を両室に供給して冷却すると共に、冷凍室４の温度に基づいて圧縮機２７の運転を制御し、冷蔵室６の温度に基づいて当該冷蔵室６の冷却を制御するものであって、冷凍室４の温度が所定の温度以下であることを条件として冷蔵室６の冷却を行う制御装置を設ける。【選択図】図２
2005155985.tif 000002
【特許請求の範囲】
【請求項１】
第１の貯蔵室と該第１の貯蔵室より冷却温度が高い第２の貯蔵室とを備え、冷却装置の冷却器と熱交換した冷気を両貯蔵室に供給して冷却すると共に、前記第１の貯蔵室の温度に基づいて前記冷却装置の運転を制御し、前記第２の貯蔵室の温度に基づいて当該第２の貯蔵室の冷却を制御する冷却貯蔵庫において、
前記第１の貯蔵室の温度が所定の温度以下であることを条件として前記第２の貯蔵室の冷却を行う制御装置を備えたことを特徴とする冷却貯蔵庫。
【請求項２】
前記第２の貯蔵室への冷気供給を開閉制御するダンパーを備え、前記制御装置は、前記第１の貯蔵室の温度が所定の温度以下であることを条件として前記ダンパーの開放を許容することを特徴とする請求項１の冷却貯蔵庫。
【請求項３】
前記第２の貯蔵室に冷気を供給するための送風機を備え、前記制御装置は、前記第１の貯蔵室の温度が所定の温度以下であることを条件として前記送風機の運転を許容することを特徴とする請求項１の冷却貯蔵庫。
【請求項４】
前記第１の貯蔵室の温度を検出するセンサーと、前記送風機の運転を制御するスイッチを設け、前記制御装置は、前記センサーの出力に基づき、前記第１の貯蔵室の温度が所定の温度以下であることを条件として、前記スイッチにより前記送風機への通電を許容することを特徴とする請求項３の冷却貯蔵庫。
【請求項５】
前記第１の貯蔵室は冷凍温度に冷却される冷凍室であり、前記第２の貯蔵室は冷蔵温度に冷却される冷蔵室であることを特徴とする請求項１、請求項２、請求項３又は請求項４の冷却貯蔵庫。
【発明の詳細な説明】
【技術分野】
【０００１】
本発明は、例えば業務用の冷凍冷蔵庫の如き、第１の貯蔵室とこの第１の貯蔵室より冷却温度が高い第２の貯蔵室とを備えた冷却貯蔵庫に関するものである。
【背景技術】
【０００２】
従来より此の種冷却貯蔵庫、例えば、業務用の冷凍冷蔵庫は、冷凍温度に冷却される冷凍室と冷蔵温度に冷却される冷蔵室とを備え、単一の圧縮機、凝縮器、減圧装置及び冷却器を順次環状に配管接続して冷媒回路が構成された冷却装置の前記冷却器と熱交換した冷気を両室に循環供給して冷却していた。その場合、冷却装置の圧縮機は冷凍室の温度に基づいて制御され、送風機により冷却器と熱交換した冷気を冷凍室に供給すると共に、例えば、冷凍室の温度が−２０℃以上のときに運転、−２３℃まで低下したら停止する所謂ＯＮ−ＯＦＦ制御が成されていた。これにより、冷凍室内は平均として−２１．５℃（設定温度）の冷凍温度に冷却される。
【０００３】
一方、冷蔵室には当該冷蔵室への冷気供給を開閉制御するダンパーを設け、このダンパーを冷蔵室の温度に基づいて制御し、例えば、冷蔵室の温度が＋５℃以上のときに開、＋３℃まで低下したら閉じる制御を行っていた。これにより、冷蔵室内は平均として＋４℃（設定温度）の冷蔵温度に冷却される。尚、冷蔵室には冷凍室の送風機によって冷気が供給されるものと、格別に冷蔵室の送風機を設けて冷気を引き込むものがあるが、後者の場合にはダンパーの代わりに冷蔵室の送風機をＯＮ−ＯＦＦ制御する方式もあった（例えば、特許文献１参照）。
【特許文献１】特開平５−３４０６６２号公報
【発明の開示】
【発明が解決しようとする課題】
【０００４】
このように、圧縮機の運転が冷凍室の温度によって制御される関係上、冷蔵室の温度制御は冷凍室の温度に従属することになるが、基本的には各室で独立した温度制御が成されるため、例えば、据え付け後のプルダウンでは冷凍室と冷蔵室の双方とも温度が高いことから、圧縮機は運転され、且つ、ダンパーも開放されて冷凍室と冷蔵室の冷却が同時に進行することになる。
【０００５】
即ち、従来は冷凍室の状況に拘わらずダンパーは開放され、冷蔵室に冷気を供給していたが、実際には冷却温度（設定温度）が高い冷蔵室が最初に上記冷蔵温度帯（＋３℃〜＋５℃）に到達し、冷凍室が上記冷凍温度帯（−２３℃〜−２０℃）に到達するのは冷蔵室の冷却負荷が無くなってからとなっていた。そのため、冷凍室の冷却は冷蔵室に比べて著しく遅延してしまう問題があった。
【０００６】
また、冷却貯蔵庫が設置された周囲環境が極端に悪化したり（例えば、夏季の温度上昇）、冷凍室の扉が想定を超えて頻繁に開閉された場合などには、冷凍室に集中的に温度上昇が発生する問題があった。
【０００７】
本発明は、係る従来の技術的課題を解決するために成されたものであり、温度の低い第１の貯蔵室とそれよりも冷却温度が高い第２の貯蔵室の双方に冷却器と熱交換した冷気を供給して冷却する冷却貯蔵庫において、第１の貯蔵室の温度維持能力を改善することを目的とする。
【課題を解決するための手段】
【０００８】
本発明の冷却貯蔵庫は、第１の貯蔵室と該第１の貯蔵室より冷却温度が高い第２の貯蔵室とを備え、冷却装置の冷却器と熱交換した冷気を両貯蔵室に供給して冷却すると共に、第１の貯蔵室の温度に基づいて冷却装置の運転を制御し、第２の貯蔵室の温度に基づいて当該第２の貯蔵室の冷却を制御するものであって、第１の貯蔵室の温度が所定の温度以下であることを条件として第２の貯蔵室の冷却を行う制御装置を設けたことを特徴とする。
【０００９】
請求項２の発明の冷却貯蔵庫は、上記において第２の貯蔵室への冷気供給を開閉制御するダンパーを備え、制御装置は、第１の貯蔵室の温度が所定の温度以下であることを条件としてダンパーの開放を許容することを特徴とする。
【００１０】
請求項３の発明の冷却貯蔵庫は、請求項１において第２の貯蔵室に冷気を供給するための送風機を備え、制御装置は、第１の貯蔵室の温度が所定の温度以下であることを条件として送風機の運転を許容することを特徴とする。
【００１１】
請求項４の発明の冷却貯蔵庫は、上記において第１の貯蔵室の温度を検出するセンサーと、送風機の運転を制御するスイッチを設け、制御装置は、センサーの出力に基づき、第１の貯蔵室の温度が所定の温度以下であることを条件として、スイッチにより送風機への通電を許容することを特徴とする。
【００１２】
請求項５の発明の冷却貯蔵庫は、上記各発明において第１の貯蔵室は冷凍温度に冷却される冷凍室であり、第２の貯蔵室は冷蔵温度に冷却される冷蔵室であることを特徴とする。
【発明の効果】
【００１３】
本発明によれば、第１の貯蔵室と該第１の貯蔵室より冷却温度が高い第２の貯蔵室とを備え、冷却装置の冷却器と熱交換した冷気を両貯蔵室に供給して冷却すると共に、第１の貯蔵室の温度に基づいて冷却装置の運転を制御し、第２の貯蔵室の温度に基づいて当該第２の貯蔵室の冷却を制御する冷却貯蔵庫において、第１の貯蔵室の温度が所定の温度以下であることを条件として第２の貯蔵室の冷却を行う制御装置を備えているので、第１の貯蔵室の温度が所定の温度より高い場合には、所定の温度以下に低下するまで第２の貯蔵室の冷却が停止される。
【００１４】
これにより、冷却貯蔵庫の据え付け時や周囲環境・扉の頻繁な開閉等の要因によって第１の貯蔵室の温度が高くなった場合に、冷却装置の冷却能力を第１の貯蔵室に集中させて迅速に温度を低下させることができるようになり、第１の貯蔵室の温度維持能力が著しく改善されるものである。
【００１５】
請求項２の発明によれば、上記において第２の貯蔵室への冷気供給を開閉制御するダンパーを備え、制御装置は、第１の貯蔵室の温度が所定の温度以下であることを条件としてダンパーの開放を許容するようにすれば、第１の貯蔵室の温度が高い状況では第２の貯蔵室への冷気供給を停止し、冷却器と熱交換した冷気を第１の貯蔵室に集中的に供給して第１の貯蔵室の温度を迅速に低下させることができるようになる。
【００１６】
請求項３の発明によれば、請求項１において第２の貯蔵室に冷気を供給するための送風機を備え、制御装置は、第１の貯蔵室の温度が所定の温度以下であることを条件として送風機の運転を許容するようにすれば、第１の貯蔵室の温度が高い状況では第２の貯蔵室に冷気を供給するための送風機の運転を停止し、冷却器と熱交換した冷気を第１の貯蔵室に集中的に供給して第１の貯蔵室の温度を迅速に低下させることができるようになる。
【００１７】
請求項４の発明によれば、上記において第１の貯蔵室の温度を検出するセンサーと、送風機の運転を制御するスイッチを設け、制御装置は、センサーの出力に基づき、第１の貯蔵室の温度が所定の温度以下であることを条件として、スイッチにより送風機への通電を許容するようにすれば、既存の冷却貯蔵庫に制御装置、センサー及びスイッチを取り付けることにより、請求項３の効果を実現することが可能となり、汎用性が著しく向上するものである。
【００１８】
特に、請求項５の発明の如く第１の貯蔵室が冷凍温度に冷却される冷凍室、第２の貯蔵室が冷蔵温度に冷却される冷蔵室である場合に、冷凍室の冷凍温度維持に著しい効果を奏するものである。
【発明を実施するための最良の形態】
【００１９】
以下、図面に基づき本発明の実施形態を詳述する。
【実施例１】
【００２０】
図１は本発明を適用した冷却貯蔵庫の一実施例としての業務用冷凍冷蔵庫１の斜視図、図２はその縦断正面図を示している。冷凍冷蔵庫１は、例えばホテルやレストランの厨房に設置されるもので、前面が開口する断熱箱体２により本体が構成されている。この断熱箱体２内は断熱性の仕切壁３によって上下に区画されており、上側に冷凍室（第１の貯蔵室）４、下側に冷蔵室（第２の貯蔵室）６が構成されている。そして、冷凍室４の前面開口は観音開き式の扉７、７によって開閉自在に閉塞され、冷蔵室６の前面開口はこれも観音開き式の扉８、８によって開閉自在に閉塞されている。
【００２１】
冷凍室４の上部には仕切板９によって冷却室１１が構成されており、この冷却室１１内には冷却装置Ｒの冷却器１２とこの冷却器１２の冷気流入側に冷凍室送風機１３がそれぞれ設置されている。そして、この冷凍室送風機１３の吸込側に対応する位置の仕切板９には冷凍室冷気吸込口１４が構成され、冷却器１２の冷気流出側（冷凍室４の上奥部）に対応する位置には図示しない冷凍室冷気吐出口が構成されている。
【００２２】
冷凍室４の左右には下端の冷蔵室冷気吐出口１６及び冷蔵室冷気吸込口１７にてそれぞれ冷蔵室６と連通する冷気吐出ダクト１８及び冷気吸込ダクト１９がそれぞれ構成されており、冷気吐出ダクト１８の上端は冷却器１２の冷気流出側の冷却室１１に連通し、冷気吸込ダクト１９の上端は冷却器１２の冷気流入側の冷却室１１に連通している。そして、冷蔵室冷気吐出口１６には当該冷蔵室冷気吐出口１６を開閉するモータ駆動式のダンパー２１が取り付けられ、更に、このダンパー２１の冷気下流側には、このダンパー２１を経て流出した冷気を冷蔵室６内に吐出するための冷蔵室送風機２２が取り付けられている。
【００２３】
また、冷凍室冷気吸込口１４には冷凍室４の温度ＴＦ（冷凍室４の吸込冷気の温度）を検出するための冷凍室温度センサー２３が取り付けられ、冷蔵室冷気吸込口１７には冷蔵室６の温度ＴＲ（冷蔵室６の吸込冷気の温度）を検出するための冷蔵室温度センサー２４が取り付けられている。一方、断熱箱体２の天面には機械室２６が構成され、この機械室２６には冷却器１２と共に冷却装置Ｒの冷媒回路を構成する圧縮機２７及び凝縮器２８が設置されている。
【００２４】
次に、図３は冷凍冷蔵庫１の電気回路のブロック図を示している。この図において３１は汎用マイクロコンピュータから構成された制御装置であり、この制御装置３１には、前記冷凍室温度センサー２３と冷蔵室温度センサー２４の出力が入力されている。また、制御装置３１の出力には、前記圧縮機２７を駆動する圧縮機モータ２７Ｍ、前記ダンパー２１を駆動するダンパーモータ２１Ｍ、前記冷凍室送風機１３及び冷蔵室送風機２２の冷凍室送風機モータ１３Ｍ及び冷蔵室送風機モータ２２Ｍが接続されている。
【００２５】
以上の構成で、次に図４及び図５に示す制御装置３１のフローチャートを参照しながら冷凍冷蔵庫１の動作を説明する。冷凍冷蔵庫１が据え付けられ、電源が投入されると、制御装置３１は先ず図４のステップＳ１で冷凍室温度センサー２３が検出する冷凍室４の温度ＴＦが例えば−２０℃（上限温度）以上が否か判断する。冷凍冷蔵庫１の据え付け後は冷凍室４の温度も冷蔵室６の温度も高く、略常温となっているので、制御装置３１はステップＳ１からステップＳ９に進み、圧縮機モータ２７Ｍを駆動して圧縮機２７を起動する。
【００２６】
圧縮機２７が起動されると、圧縮機２７で圧縮され、吐出された高温高圧のガス冷媒は凝縮器２８に流入し、そこで放熱して凝縮する。冷媒はその後図示しない減圧装置で減圧された後、冷却器１２に流入し、そこで蒸発することで周囲から熱を奪い、冷却作用を発揮して圧縮機２７に戻る。
【００２７】
ここで、この場合制御装置３１は冷凍室送風機モータ１３Ｍと冷蔵室送風機モータ２２Ｍに常時通電し、冷凍室送風機１３と冷蔵室送風機２２を連続運転しているものとする。冷凍室送風機１３は冷凍室冷気吸込口１４から吸引した冷凍室４内の空気を冷却器１２に送出する。この冷却器１２と熱交換して冷却された空気、即ち冷気は冷却器１２から流出して図示しない冷凍室冷気吐出口から冷凍室４内に吐出され、冷凍室４内を循環した後、冷凍室冷気吸込口１４から冷凍室送風機１３に吸い込まれる。このようにして、冷凍室４内は冷却されていく。尚、冷却器１２と熱交換した冷気は冷気吐出ダクト１８にも流入する。
【００２８】
次に、制御装置３１はステップＳ９からステップＳ４に進み、冷凍室温度センサー２３が検出する冷凍室４の温度ＴＦが例えば上記−２０℃より高い所定の温度−１５℃＋α（αは例えば２ｄｅｇ程のディファレンシャル：−１３℃）以上が否か判断する。この時点では冷凍室４は冷却が開始された当初であるので温度は依然高く、制御装置３１はステップＳ４からステップＳ１０に進んでフラグをセットする。
【００２９】
一方、図５のステップＳ１１で制御装置３１はフラグがセットされているか否か判断する。そして、フラグがセットされている場合はステップＳ１１からステップＳ１４に進み、ダンパー２１により冷蔵室冷気吐出口１６を閉じる。従って、前述の如く冷気吐出ダクト１８に流入した冷気は冷蔵室６には供給されず、冷蔵室６の冷却は行われない。
【００３０】
冷凍室４が冷却されていき、冷凍室４の温度ＴＦが低下して前記−１５℃＋αより低くなると、制御装置３１は図４のステップＳ４からステップＳ５に進み、今度は冷凍室４の温度ＴＦが上記所定の温度である−１５℃以下に低下したか否か判断し、依然低下していなければステップＳ８に進んで現在フラグがセットされているか否か判断し、セットされているからステップＳ１０に進んでフラグをセットする。
【００３１】
以後、これを繰り返してフラグがセットされている間、冷蔵室６を冷却せず、冷凍室４のみを冷却していく。冷凍室４には冷却器１２と熱交換した冷気が集中的に供給・循環されるので、冷凍冷蔵庫１の据え付け後、冷凍室４内の温度ＴＦは迅速に低下していく。そして、前記−１５℃以下まで冷凍室４の温度ＴＦが低下したら、制御装置３１はステップＳ５からステップＳ６に進み、フラグをリセットする。
【００３２】
フラグがリセットされると、制御装置３１はステップＳ１１からステップＳ１２に進み、冷蔵室温度センサー２４が検出する冷蔵室６の温度ＴＲが例えば＋５℃（上限温度）以上が否か判断する。冷凍冷蔵庫１の据え付け後、冷蔵室６には冷気供給が成されていなかったため、冷蔵室６の温度は高く、略常温となっているので、制御装置３１はステップＳ１２からステップＳ１６に進み、ダンパーモータ２１Ｍを駆動してダンパー２１により冷蔵室冷気吐出口１６を開放する。
【００３３】
冷蔵室冷気吐出口１６が開放されると、冷気吐出ダクト１８に流入した冷気は冷蔵室冷気吐出口１６から流出し、冷蔵室送風機２２によって冷蔵室６内に吐出される。冷蔵室６内に吐出された冷気は内部を循環した後、冷蔵室冷気吸込口１７から冷気吸込ダクト１９に吸い込まれ、冷却室１１内の冷却器１２の冷気流入側に帰還する。
【００３４】
このようにして冷蔵室６が冷却されていき、冷蔵室６の温度ＴＲが前記＋５℃より低下したら、制御装置３１はステップＳ１２からステップＳ１３に進み、今度は例えば＋３℃（下限温度）以下になったか否か判断する。そして、＋３℃まで低下していない場合には、ステップＳ１３からステップＳ１５に進み、現在ダンパー２１が冷蔵室冷気吐出口１６を開放しているか否か判断する。今は開放しているからステップＳ１６に進んで開放状態を維持する。
【００３５】
冷蔵室６がこのようにして冷却されていき、温度ＴＲが＋３℃以下に低下すると、制御装置３１はステップＳ１３からステップＳ１４に進み、ダンパー２１により冷蔵室冷気吐出口１６を閉じる。これによって、冷蔵室６内は平均として＋４℃の設定温度（冷却温度）に冷却維持される。
【００３６】
他方、冷凍室４の温度ＴＦが低下していき、上記−２０℃より低くなると制御装置３１は図４のステップＳ１からステップＳ２に進み、今度は冷凍室４の温度ＴＦが例えば−２３℃（下限温度）より低くなったか否か判断する。そして、依然低くなっていなければステップＳ２からステップＳ７に進み、現在圧縮機２７が運転されているか否か判断する。このとき、圧縮機２７は運転されているからステップＳ９に進み、圧縮機２７の運転を継続する。
【００３７】
このようにして冷凍室４が冷却され、温度ＴＦが上記−２３℃以下まで低下すると、制御装置３１はステップＳ２からステップＳ３に進んで圧縮機３１を停止する。以後はこれを繰り返す。これによって、冷凍室４内は平均として−２１．５℃の設定温度（冷却温度）に冷却される。
【００３８】
ここで、例えば夏季等に冷凍冷蔵庫１が設置された周囲環境の温度が上昇し、或いは、冷凍室４の扉７が想定された以上に頻繁に開閉された等の要因により、冷凍室４の温度ＴＦが上昇してしまい、前記所定の温度である−１５℃＋α（−１３℃）以上になると、制御装置３１はステップＳ４からステップＳ１０に進み、フラグをセットする。フラグがセットされると、制御装置３１は前述の如くダンパー２１により冷蔵室６の温度に拘わらず冷蔵室冷気吐出口１６を閉じたままとするので、冷蔵室６には冷気が供給されなくなり、冷却は停止する。
【００３９】
これにより、冷却器１２と熱交換した冷気は前述同様に冷凍室４に集中的に供給・循環されるようになるので、冷凍室４の温度は迅速に低下していく。これは前記所定の温度である−１５℃以下に復帰するまで継続される（ステップＳ５〜ステップＳ８〜ステップＳ１０）。そして、冷凍室４の温度が上記−１５℃以下に復帰したら、制御装置３１はステップＳ５からステップＳ６に進んでフラグをリセットするので、冷蔵室６の冷却が再開されることになる。
【００４０】
このように、本発明では制御装置３１は冷凍室４の温度が所定の温度−１５℃以下であることを条件として冷蔵室６の冷却を行うので、冷凍室４の温度が所定の温度−１５℃＋α以上に高い場合には、所定の温度−１５℃以下に低下するまで冷蔵室６の冷却が停止される。これにより、冷凍冷蔵庫１の据え付け時や周囲環境・扉７の頻繁な開閉等の要因によって冷凍室４の温度が高くなった場合に、冷却装置Ｒの冷却能力を冷凍室４に集中させて迅速に温度を低下させることができるようになり、冷凍室４の温度維持能力が著しく改善される。
【００４１】
尚、上記実施例では冷蔵室送風機２２は連続運転とし、フラグがセットされている間、ダンパー２１を閉じる構成としたが、ダンパー２１を閉じたら冷蔵室送風機２２を停止し、ダンパー２１を開いたら冷蔵室送風機２２を運転する構成としてもよい。また、フラグに拘わらずダンパー２１を冷蔵室６の温度ＴＲに基づいて開閉制御し、フラグがセットされている間、冷蔵室送風機２２を停止させる構成としてもよい。係る構成によっても冷蔵室６には冷蔵室送風機２２による冷気の強制循環が行われなくなって冷却が停止されるので、冷凍室４の温度維持能力は改善される。
【実施例２】
【００４２】
次に、図６は冷凍冷蔵庫１のもう一つの電気回路のブロック図を示している。この場合の冷凍冷蔵庫１は既存のものであり、制御装置（３１Ａで示す）は通常の制御装置であるものとする。但し、上記冷凍室４の集中冷却機能以外の冷凍室４と冷蔵室６の温度制御機能は前述と同様であるものとする。係る既存の冷凍冷蔵庫１に対しては、もう一つの冷凍室温度センサー３２を冷凍室冷気吸込口１４に取り付け、この場合の制御装置としてのコントローラ３３とスイッチ３４を冷凍冷蔵庫１にオプションとして取り付ける。
【００４３】
コントローラ３３も汎用のマイクロコンピュータから構成されており、冷凍室温度センサー３２の出力はこのコントローラ３３に入力される。スイッチ３４は制御装置３１Ａの出力ラインと冷蔵室送風機モータ２２Ｍの間の給電線に介設され、このスイッチ３４はコントローラ３３により開閉制御される。
【００４４】
そして、コントローラ３３は冷凍室温度センサー３２が検出する冷凍室４の温度ＴＦが前記所定の温度である−１５℃＋α（−１３℃）以上になると、コントローラ３３はスイッチ３４を開いて冷蔵室送風機モータ２２Ｍへの通電を強制的に断つ。これにより、制御装置３１Ａの制御に拘わらず、冷蔵室６への冷気の強制循環は行われなくなるので、冷却は停止される。これによって、冷却器１２と熱交換した冷気は前述同様に冷凍室４に集中的に供給・循環されるようになるので、冷凍室４の温度は迅速に低下していくことになる。
【００４５】
そして、冷凍室４の温度ＴＦが前記所定の温度である−１５℃以下に復帰するまでこの状態を継続し、冷凍室４の温度が上記−１５℃以下に復帰したら、コントローラ３３はスイッチ３４を閉じて冷蔵室送風機モータ２２Ｍへの通電を許容するかたちに復帰する。係る構成によっても冷凍室４の温度が上昇した場合、冷却を冷凍室４に集中させて迅速に温度を低下させることが可能となる。特に、この場合は既存の冷凍冷蔵庫にオプションとして適用できるので、汎用性が増すことになる。
【００４６】
尚、上記で示した温度の値はそれに限定されるものでは無い。特に、上記各実施例では第１の貯蔵室を冷凍室、第２の貯蔵室を冷蔵室としたが、他の温度帯でも請求項５以外の発明は有効である。即ち、第１の貯蔵室は冷凍室、第２の貯蔵室は例えば氷点以下で食品が凍結しない温度（氷温）の氷温室としてもよく、第１の貯蔵室を氷温室、第２の貯蔵室を冷蔵室として本発明を適用してもよい。
【図面の簡単な説明】
【００４７】
【図１】本発明の冷却貯蔵庫の実施例としての冷凍冷蔵庫の斜視図である。
【図２】図１の冷凍冷蔵庫の縦断正面図である。
【図３】図１の冷凍冷蔵庫の電気回路のブロック図である（実施例１）。
【図４】図３の制御装置の動作を説明するフローチャートである。
【図５】同じく図３の制御装置の動作を説明するフローチャートである。
【図６】図１の冷凍冷蔵庫のもう一つの電気回路のブロック図である（実施例２）
【符号の説明】
【００４８】
１    冷凍冷蔵庫
２    断熱箱体
４    冷凍室
６    冷蔵室
１２  冷却器
１３  冷凍室送風機
１４  冷凍室冷気吸込口
１６  冷蔵室冷気吐出口
１７  冷蔵室冷気吸込口
１８  冷気吐出ダクト
１９  冷気吸込ダクト
２１  ダンパー
２２  冷蔵室送風機
２３、３２  冷凍室温度センサー
２４  冷蔵室温度センサー
２７  圧縮機
３１  制御装置
３３  コントローラ
３４  スイッチ
Ｒ  冷却装置
【図１】
2005155985.tif 000003
【図２】
2005155985.tif 000004
【図３】
2005155985.tif 000005
【図４】
2005155985.tif 000006
【図５】
2005155985.tif 000007
【図６】
2005155985.tif 000008